(57)【要約】【課題】扉又は錠箱側の２以上の孔の位置に寸法誤差があっても、面付け錠箱を扉に固定することができること。【解決手段】操作軸用の第１貫通孔と面付け錠箱の裏側から導き出される通電コードを案内する第２貫通孔を所定間隔離間して有する扉の壁面に取付けられる電気錠用の面付け錠箱の取付け構造であって、前記錠箱は、前記扉の壁面に固定され得る蓋体と、この蓋体に一体的に固定され得る錠箱本体とから成り、蓋体には、通電コードを案内する保護筒が位置変位可能に設けられていることを特徴とする電気錠用面付け錠箱の取付け構造。【選択図】図５
2008184797.tif 000002
【特許請求の範囲】
【請求項１】
操作軸用の第１貫通孔と面付け錠箱の裏側から導き出される通電コードを案内する第２貫通孔を所定間隔離間して有する扉の壁面に取付けられる電気錠用の面付け錠箱の取付け構造であって、前記錠箱は、前記扉の壁面に固定され得る蓋体と、この蓋体に一体的に固定され得る錠箱本体とから成り、前記蓋体には、前記通電コードを案内する保護筒が位置変位可能に設けられていることを特徴とする電気錠用面付け錠箱の取付け構造。
【請求項２】
請求項１に於いて、保護筒は、フランジ部と、これに連設する筒状部とから成り、蓋体の通電コードを案内する通孔の口径は、前記フランジ部の外径寸法よりも大きいことを特徴とする電気錠用面付け錠箱の取付け構造。
【請求項３】
請求項１に於いて、蓋体は、扉の壁面に直接固定される第１プレートと、この第１プレートの前面に位置する第２プレートとから成り、保護筒のフランジ部は、これらの第１プレートと第２プレートに挟持された状態で垂直面上の左右上下方向に摺動することを特徴とする電気錠用面付け錠箱の取付け構造。
【請求項４】
請求項１に於いて、保護筒のフランジ部は、第２プレートに形成された横向き凹所状の環状受け部内に遊嵌合していることを特徴とする電気錠用面付け錠箱の取付け構造。
【請求項５】
請求項１に於いて、面付け錠箱には、通電コードの基端部を保持する保持部材と、前記通電コードを介して給電される駆動源と、該駆動源の駆動力を操作軸に伝える動力伝達手段が内蔵されていることを特徴とする電気錠用の面付け錠箱取付け構造。
【発明の詳細な説明】
【技術分野】
【０００１】
本発明は、電気錠用面付け錠箱の取付け構造に関する。
【背景技術】
【０００２】
特許文献１の図１には電気錠に用いられる電気錠用の面付け錠箱が記載されている。しかしながら、面付け錠箱の取付け構造に関する具体的構成は記載されていない。普通一般に、面付け錠箱には、特許文献１の段落００２８に記載されているように駆動源（例えばソレノイドや駆動モータ）が内設され、この駆動源に通電コードを介して電流が供給される。また、面付け錠箱には、操作部材（サムータン）の回転軸が装着される。
【０００３】
したがって、扉の内壁面に面付け錠箱を固定的に取付ける場合には、扉に操作部材を構成する操作軸（回転軸）用の貫通孔と、この一つの貫通孔を基準にして、例えば真上に通電コードを案内する貫通孔を形成する必要がある。
【０００４】
付言すると、扉の壁面には、例えば上下方向に操作軸用の第１貫通孔と面付け錠箱の裏側から導き出される通電コードを案内する第２貫通孔を所定間隔離間して形成する必要がある。
【０００５】
ところで、扉に面付け錠箱を取付ける施工時に於いて、前記第１貫通孔と第２貫通孔との上下の間隔（距離）や位置が正確でない場合、つまり、第１貫通孔を基準として通電コード用の第２貫通孔の位置に多少の誤差がある（左右上下方向にずれている）場合に於いて、通電コード保護用の保護筒を錠箱の蓋体を介して前記第２貫通孔に嵌挿しようとすると、保護筒が第２貫通孔に嵌入しない場合がある。その理由は、扉に形成した第２貫通孔の口径と保護筒の筒状部の外径寸法が丁度嵌り合うように設定されていると共に、錠箱の蓋板に固定した保護筒は、扉側の第１貫通孔と第２貫通孔との上下の間隔や位置に誤差がないことを前提にして設計するからである。
【０００６】
ところで、電気錠用の面付け錠箱に扉の内壁面に固定する場合、（１）通電コードを扉の外壁面側からの不正な攻撃から守る必要がある。（２）そこで、通電コードを保護するために、例えば筒状の保護筒を錠箱の蓋体に固定し、かつ、通電コード案内用の貫通孔に挿嵌する。
【０００７】
前述したように、操作軸用の貫通孔と通電コード案内用の貫通孔は、所定間隔離間していることから、錠箱の取付け時に蓋体の上下方向の通孔の位置に誤差があると、筒状の保護筒が扉の貫通孔に嵌入しない。そこで、前記（１）を前提にした上で、前記（２）の問題点を解消することができる面付け錠箱の取付け構造が要望されている。
【特許文献１】特許公開平７−２２９３３５号公報
【発明の開示】
【発明が解決しようとする課題】
【０００８】
本発明の所期の目的は、背景技術で説明したように、通電コードを保護するために筒状保護筒を錠箱の蓋体に固定或いは装着することを前提にした上で、かつ、面付け錠箱を扉の壁面に固定する場合において、扉側の２以上の貫通孔の形成位置に多少の誤差があったとしても、通電コードを案内する保護筒を備えた錠箱をフレキシブルに取付けることができることを目的とする。
【課題を解決するための手段】
【０００９】
本発明の電気錠用面付け錠箱の取付け構造は、操作軸用の第１貫通孔と面付け錠箱の裏側から導き出される通電コードを案内する第２貫通孔を所定間隔離間して有する扉の壁面に取付けられる電気錠用の面付け錠箱の取付け構造であって、前記錠箱は、前記扉の壁面に固定され得る蓋体と、この蓋体に一体的に固定され得る錠箱本体とから成り、前記蓋体には、前記通電コードを案内する保護筒が位置変位可能に設けられていることを特徴とする。
【発明の効果】
【００１０】
本発明は、錠箱蓋体に、通電コード用の案内する保護筒が装着され、この保護筒は扉の第２貫通孔に挿嵌されるとき、錠箱の蓋体が保護筒に対して、或いは保護筒が錠箱の蓋体に対して、相対的に位置変位可能である。
【００１１】
したがって、例えば扉側の垂直線上に２以上の貫通孔を形成する必要があって、これらの貫通孔の間隔や形成位置に多少の誤差があったとしても、通電コード用案内保護筒を備えた錠箱を扉の壁面に可能な限り取付けることができる。
【発明を実施するための最良の形態】
【００１２】
ここでは、図１乃至図６に示す本発明の最良の形態により説明する。
【００１３】
（１）各図面の詳細
まず、各図面について、やや詳しく説明する。図１は基本的な構成部材を示す概略説明図である。この図１では、細部的事項を割愛し、所定位置に操作軸用の第１貫通孔２と面付け錠箱１１の蓋体１３の孔から導き出される通電コード１９を案内する第２貫通孔３をそれぞれ有する扉１と、この扉の内壁面１ａに蓋体１３を介して取付けられる電気錠用の面付け錠箱１１とを示している。
【００１４】
本発明は、前記第１貫通孔２と、この第１貫通孔に対して所定間隔離間する第２貫通孔３とを有する扉１に対して用いられる電気錠用錠箱１１を面付け状態に取付ける際における電気錠用面付け錠箱の取付け構造について権利を請求するものである。
したがって、電気錠の入力手段、制御手段、電源等の電気的なシステムに関する詳細な説明は割愛している。
【００１５】
次に、図２は上下方向に第１貫通孔２及び第２貫通孔３を有する扉１と、この扉１の内壁面１ａに固定的に位置づけられる錠箱の蓋体１３との関係を示す概略説明図である。図１で示すように、本発明の錠箱１１は、錠箱本体１２と、この錠箱本体の裏側と扉１の内壁面１ａとの間に配設され、かつ、二枚のプレート１４、１５で構成された蓋体１３とから成る。
【００１６】
付言すると、図２（ａ）は所定位置に２個の貫通孔２、３を有する扉１の内壁面１ａ、図２（ｂ）は前記内壁面１ａの前面に固定的に位置する蓋体１３の第１プレート１４、図２（ｃ）は前記第１プレート１４の前面に係合状態で合わせた或いは固定手段で合体した状態で位置する第２プレート１５を示している。
【００１７】
扉１の内壁面１ａを正面（表面）にするならば、図２（ｂ）の第１プレート１４及び図２（ｃ）の第２プレート１５は、それぞれ正面（表面）を示している。
【００１８】
次に、図３は蓋体１３に水平状態に装着（例えば挟持）された通電コード１９用案内保護筒２５を示している。図３（ａ）は保護筒２５の正面図、図３（ｂ）は保護筒２５の縦断面である。保護筒２５は、フランジ部２６と、これに連設する筒状部２７とから成る。
本発明の保護筒２５は、錠箱内の保持部材２０に基端部が保持される通電コード１９を扉１の第２貫通孔３を介して該扉１の内部に案内するために用いられていると共に、防犯上の観点から前記第２貫通孔３に挿嵌される。
【００１９】
実施例では、保護筒２５のフランジ部２６は、蓋体１３の第１プレート１４と、この第１プレート１４の前面に位置する第２プレート１５にサンドイッチ状態に挟持される。
また、蓋体１３を、固着具１６を介して扉１の内壁面１ａに固定する際、つまり、錠箱１１を扉１の壁面１ａに固定する際、保護筒２５の筒状部２６は、扉１の第２貫通孔３に丁度合うように挿嵌される。
【００２０】
次に、図４は錠箱１１の蓋体１３を構成する第１プレート１４と、この第１プレートの前面に位置する第２プレート１５を示している。蓋体１３の第１プレート１４と第２プレート１５は、それぞれ操作軸用の通孔１４ｂ、１５ｂと通電コード用の通孔１４ａ、１５ｂを有し、かつ、不番の係合手段或いは固定手段により合体する。
【００２１】
次に、図５は錠箱本体１２と蓋体１３との合体構造、保護筒２５が蓋体１３の二枚のプレート１４、１５に保持され、かつ、第２貫通孔３内に嵌合している旨を示している。
最後に、図６は蓋体１３の二枚のプレート１４、１５に挟持された保護筒２５が、錠箱１１の取付け位置に対応して左右上下方向に摺動可能である旨を示している。
【００２２】
本発明は、上記構成を採用することにより、扉１に形成された操作軸用の第１貫通孔２と通電コード用の第２貫通孔３の間に１ミリ、２ミリ、３ミリ等の多少の誤差があっても、或いは錠箱の蓋体１３に形成した通孔位置に多少の誤差があっても、保護筒２５が蓋体１３の二枚のプレート１４、１５に位置変位可能に挟持されていることから、保護筒２５は扉１の第２貫通孔３内に嵌合する。本実施例では、図６で示すように、保護筒２５は蓋体１３に対して、垂直面の左右上下方向に可動である。
【００２３】
（２）発明の実施の環境
前（１）で説明したように、図１は基本的な構成部材を示す概略説明図である。また、図２は扉１の内壁面１ａと、この内壁面１ａに固定される錠箱１１の蓋体１３をそれぞれ示す。これらの図面を参照にして、まず、扉に関して説明する。
１は扉、１ａは扉の内壁面、２は操作軸用の第１貫通孔、３は蓋体１３の通孔及び保護筒２５を介して通電コード１９を案内する第２貫通孔である。
【００２４】
図２（ａ）で示すように、第１貫通孔２と第２貫通孔３は、上下方向に所定間隔を有して扉１の内壁面１ａに形成されている。下方に位置する第１貫通孔２の円形口径は、上方に位置する第２貫通孔３のそれよりも大きく形成されている。また、第１貫通孔２の中心点と第２貫通孔３のそれは図示しない垂直線上に一致する。
【００２５】
図１では各構成部材を概念的に示しているが、扉１の中空内部には、機械式錠前用の中ケース４が設けられ、この中ケース４には、扉１の第１貫通孔２等を貫通する操作軸５に連結手段６及び係合手段７をそれぞれ介して連係するダルマ８が内蔵されている。
周知のように、操作軸５の外端部に連結された操作部材（例えばサムターン）９を操作すると、ダルマ８が所定量回転し、このダルマ８の駆動力により図示しない施錠片が進退動する。
【００２６】
次に、錠箱１１に関して説明する。錠箱１１は、裏側が開口するケース状の錠箱本体１２と、この錠箱本体１２の裏側と扉１の内壁面１ａとの間に配設され、かつ、二枚のプレートで構成された蓋体１３とから成る。もちろん、蓋体１３は一枚でも良く、また、錠箱本体１２と蓋体１３は一体的に結合する。
【００２７】
錠箱本体１２は、図１、図５で示すように、扉１の内壁面１ａに蓋体１３を介して面付け状態に取付けられる。錠箱１１を内壁面１ａに面付け状態に取付ける際、図２（ｂ）で示す第１プレート１４は、錠箱本体１２の内部側の第２プレート１５と扉１の内壁面１ａとの間にサンドイッチ状に挟まれた状態となり、かつ、前記第２プレート１５からねじ込まれる複数本の蓋体固着具１６を介して扉１の内壁面１ａに固定される。
【００２８】
その後に、内部側の第２プレート１５と錠箱本体１２との係合関係（手段）１７並びに固着関係（手段）１８により、錠箱本体１２は蓋体１３に固定される。
【００２９】
したがって、第１プレート１４は、扉１の内壁面１ａの前面に固定的に位置し、また、第２プレート１５は第１プレート１４の前面に合体した状態で位置し、さらに、前記第２プレート１５の突片状の端板部分に錠箱本体１２が取り外し可能に固定される。
【００３０】
ところで、本実施例の面付け錠箱１１には、通電コード１９の基端部を保持するワッシヤを含む保持部材２０と、前記通電コード１９を介して給電される駆動源（例えば駆動モータ）２１と、該駆動源２１の駆動力を操作軸５に伝える動力伝達手段２２が内蔵されており、前記通電コード１９は蓋体１３及び保護筒２５を介して扉１の内部空間へと案内されている。その他、錠箱本体１２の細部的事項の説明は割愛する。
【００３１】
（３）保護筒
図３で示すように、保護筒２５は、フランジ部２６と、これに連設する筒状部２７とから成る。保護筒２５は、通電コード１９を案内すると共に、扉１の外壁面側からの不正な攻撃から守るために扉１の第２貫通孔３に挿嵌されている。
【００３２】
この保護筒２５は、錠箱１１を扉１の内壁面１ａに固定する際に、単独にそのまま扉１の第２貫通孔に挿嵌しない。図４で示すように、予め第１プレート１４の上方の通孔１４ａに嵌め込む。
【００３３】
前述したように、本実施例の第１プレート１４と第２プレート１５は、オス・メス係合手段ないし固着手段１６を介し一体的に合体するので、保護筒２５のフランジ部２６は、蓋体１３の第１プレート１４と第２プレート１５にサンドイッチに挟持された状態で扉１の第２貫通孔３に挿嵌される。しかも、本実施例の保護筒２５は、図６で示すように、錠箱１１の取付け位置（二つの孔の形成位置）に対応して左右上下方向に摺動する。
【００３４】
（４）第１プレート１４と第２プレート１５
ここで、図２と図４を参照にして、蓋体１３の第１プレート１４と第２プレート１５の構成を説明する。前述したように、図２（ｂ）の第１プレート１４及び図２（ｃ）の第２プレート１５は、それぞれ正面（表面）を示している。第１プレート１４と第２プレート１５は共に上方にそれぞれ適当な大きさの通孔１４ａ、１５ａを有するが、扉１の第２貫通孔３側に位置する第１プレート１４の通孔１４ａは、錠箱内部側に位置する第２プレート１５の通孔１５ａよりも大径である。また、第１プレート１４の通孔１４ａは、図６で示すように、保護筒２５の断面で示した筒状部２７の外径寸法よりも大きいことが必要である。でなければ、錠箱１１を扉１の内壁面１ａに固定する際、保護筒２５が錠箱１１の蓋体１３に対して垂直方向にフレキシブルに可動しないことになるからである。
【００３５】
であるから、第１プレート１４の通孔１４ａ及び、２プレート１５の環状受け部２８の凹所の大きさは、保護筒２５のフランジ部２６を可動状態に挟持することができるようにそれぞれ適宜に設定されている。
【００３６】
付言すると、本実施例では、第２プレート１５の通孔１５ａの周縁部に横向き凹所状の環状受け部２８が周設されている。図１、図５で示すように、この環状受け部２８内に保護筒２５のフランジ部２６が完全に入り込んでいる。
【００３７】
また、第１プレート１４と第２プレート１５は共に下方にそれぞれ操作軸用の通孔１４ｂ、１５ｂを有するが、第１プレート１４の通孔１４ｂは、扉１の第１貫通孔２と同様の大きさであるのに対して、第２プレート１５の通孔１５ｂは操作軸５の外径寸法に対応して小さく設定されている。そして、第２プレート１５の通孔１５ｂの周縁部には、周方向に所定間隔を有して蓋体固着具１６用の取付け孔２９が合計４個形成されている。
【００３８】
さらに、第１プレート１４と第２プレート１５は、互いに重ね合わせて合体することができるように、例えば左右端部に直角方向に折り曲げ形成された左右一対の取付け端板部１４ｃ、１５ｃがそれぞれ対向形成されている。
【００３９】
加えて、第２プレート１５の上下端部には、直角方向に折り曲げ形成された上下一対の取付け舌片１５ｄが設けられており、これらの取付け舌片１５ｄは、図５で示すように、それぞれ錠箱本体１２の内部側に入り込み、上方の取付け舌片１５ｄは係合関係（オス・メスの係合）１７となり、一方、下方の取付け舌片１５ｄは固定関係（固着具で固定）１８となる。その他の細部的事項の説明は割愛する。
【実施例】
【００４０】
発明の実施の形態で示した実施例に於いて、蓋体には通電コード用の案内する保護筒が位置変位可能に設けられているが、蓋体と保護筒の装着関係は、当業者の立場から任意に設計変更可能である。
【産業上の利用可能性】
【００４１】
本発明は、主に錠前や建具の業界で利用される。
【図面の簡単な説明】
【００４２】
図１乃至図６は本発明の最良の実施例を示す各説明図。
【図１】基本的な構成部材を示す概略説明図。
【図２】図２（ａ）は扉の内壁面の正面、図２（ｂ）は第１プレートの正面、図２（ｃ）は第２プレートの正面をそれぞれ示す説明図。
【図３】図３（ａ）は保護筒の正面図、図３（ｂ）は保護筒の縦断面図。
【図４】第１プレート、第２プレート及び保護筒の関係を示す概略説明図。
【図５】実施化レベルの概略説明図。
【図６】保護筒が可動である旨の概略説明図。
【符号の説明】
【００４３】
１…扉、１ａ…扉の内壁面、２…第１貫通孔、３…第２貫通孔、５…操作軸、６…連結手段、７…係合手段、８…ダルマ、９…操作部材、１１…錠箱、１２…錠箱本体、１３…蓋体、１４…第１プレート、１５…第２プレート、１４ａ、１５ａ…通孔、１６…蓋体固着具、１７…係合関係、１８…固着関係、１９…通電コード、２０…保持部材、２１…駆動源、２２…動力伝達手段、２５…保護筒、２６…フランジ部、２７…筒状部、２８…環状受け部、２９…蓋体固着具用取付け孔。
【図１】
2008184797.tif 000003
【図２】
2008184797.tif 000004
【図３】
2008184797.tif 000005
【図４】
2008184797.tif 000006
【図５】
2008184797.tif 000007
【図６】
2008184797.tif 000008